(57)【特許請求の範囲】
【請求項１】
長手方向に延びるインサート本体の端部に、上記長手方向に交差する方向に延びる正面切刃を備えたすくい面を有する切刃部が形成されており、上記正面切刃は、上記すくい面に対向する方向から見て、該正面切刃の一端部から他端部側に向かうに従い上記長手方向に漸次後退するように傾斜する傾斜部と、該正面切刃の他端部から一端部側に向けて上記長手方向に垂直に延びる垂直部とを備え、上記傾斜部は、少なくとも上記垂直部側が、上記すくい面に対向する方向から見て該垂直部に滑らかに接する凹曲線状に形成されていることを特徴とする切削インサート。
【請求項２】
上記傾斜部は、上記一端部側が、上記すくい面に対向する方向から見て直線状に形成されていることを特徴とする請求項１に記載の切削インサート。
【請求項３】
上記傾斜部は、上記すくい面に対向する方向から見て、上記正面切刃の一端部において上記垂直部に対し３°〜５０°の範囲で交差する方向に傾斜していることを特徴とする請求項１または請求項２に記載の切削インサート。
【発明の詳細な説明】
【技術分野】
【０００１】
本発明は、旋削加工において被削材の溝入れや特に突っ切りに使用される切削インサートに係わり、より詳しくは正面切刃に左右の勝手が付けられたいわゆる勝手付きの切削インサートに関するものである。
【背景技術】
【０００２】
このような、特に被削材の突っ切りに使用される切削インサートにおいては、被削材に切り込まれるその正面切刃を、すくい面に対向する方向から見て左右いずれかの一端部から反対側の他端部に向かうに従い、インサート本体の長手方向に対して後退するように傾斜させて形成した勝手付きの切削インサートが、例えば特許文献１〜３などに開示されている。かかる切削インサートによれば、突っ切り加工で被削材が分断される直前に残される芯の部分が、正面切刃の上記他端部側に位置する被削材の切断面から一端部側の切断面に向けて先細りとなる円錐状になるため、この一端部側の一方の切断面側に芯が残り難く、その後の仕上げ加工を簡略化することができる。
【０００３】
ところが、その反面このような切削インサートでは、正面切刃が傾斜しているため、その切刃長が長くなって切削抵抗が増大しがちである上、この切削抵抗が正面切刃の他端部から一端部に向かう横方向にも作用するので、切削インサートの保持が不安定となりやすいという問題がある。そこで、例えば特許文献４、５には、正面切刃を一端部が他端部に対して突出した凹形曲線状とするとともに切欠部を凹設して、切屑を分断させることにより抵抗の低減を図ったり、あるいはやはり一端部を他端部よりも突出させるとともに、正面切刃をこれら両端部を結ぶ線から後退させて一端部側と他端部側とで相反する方向に傾かせた凹Ｖ字状としたりすることにより、横方向に作用する切削抵抗を互いに相殺したりしたものが提案されている。
【特許文献１】特開平８−２２９７０５号公報
【特許文献２】特表２００３−５０９２２４号公報
【特許文献３】特開２００７−６９２９１号公報
【特許文献４】実開昭６１−５０６０３号公報
【特許文献５】実開平７−１１２０４号公報
【発明の開示】
【発明が解決しようとする課題】
【０００４】
しかしながら、特許文献４に記載の切削インサートのように正面切刃を凹形曲線状とするとともに切欠部を凹設して切屑を分断すると、分断された切屑は正面切刃の一端部側と他端部側とでそれぞれの側に位置する被削材の切断面に向けて流れ出ることになるので、これらの切断面が切屑によって傷つけられてその精度や品位が損なわれるおそれが生じる。これは、特許文献５記載の切削インサートのように正面切刃の両端部側を互いに相反する方向に傾かせて凹Ｖ字状とした場合も同様である。
【０００５】
また、これら特許文献４、５に記載のように正面切刃を凹形曲線状としたり凹Ｖ字状としたりすると、正面切刃の両端部がともに先細りの形状となるため欠けが生じ易く、インサート寿命が短縮されるおそれが強くなる。さらに、横方向に作用する切削抵抗は両端部側で互いに相殺されても、正面切刃の切刃長自体は特許文献１〜３と同様に長いままであるため、正面切刃全体に作用する切削抵抗が低減されることはない。さらにまた、こうして両端部側が先細り形状となる正面切刃を、しかも一端部が他端部よりも突出するようにして、所定の寸法精度に確実に形成するのは容易ではない。
【０００６】
一方、上記特許文献１〜３に記載の切削インサートや、これら特許文献４、５に記載の切削インサートでも、他方の切断面には芯が残されるため、突っ切り加工によって被削材が切断された後に、この芯を除去する仕上げ加工を行わなければならないが、これらの切削インサートでそのままこの芯を除去する仕上げ加工を行おうとすると、いずれも傾斜もしくは湾曲した切刃による切削となるため、切削インサートに振れが生じ易く、この他方の切断面を平滑に仕上げるのは困難となる。従って、この仕上げ加工には正面切刃が長手方向に垂直とされた勝手無しの切削インサートを用いたりしなければならず、仕上げ加工を十分に簡略化するには至っていなかった。
【０００７】
本発明は、このような背景の下になされたもので、特に上述のような被削材の突っ切り加工に用いて好適な勝手付きの切削インサートにおいて、被削材の切断面の精度や品位の向上やインサート寿命の延長、切削抵抗の低減を図るとともに、正面切刃を正確に所定の寸法精度に形成することが可能であり、しかも残された芯を除去する仕上げ加工の一層の簡略化を促すことが可能な切削インサートを提供することを目的としている。
【課題を解決するための手段】
【０００８】
上記課題を解決して、このような目的を達成するために、本発明は、長手方向に延びるインサート本体の端部に、上記長手方向に交差する方向に延びる正面切刃を備えたすくい面を有する切刃部が形成されており、上記正面切刃は、上記すくい面に対向する方向から見て、該正面切刃の一端部から他端部側に向かうに従い上記長手方向に漸次後退するように傾斜する傾斜部と、該正面切刃の他端部から一端部側に向けて上記長手方向に垂直に延びる垂直部とを備え、上記傾斜部は、少なくとも上記垂直部側が、上記すくい面に対向する方向から見て該垂直部に滑らかに接する凹曲線状に形成されていることを特徴とする。
【０００９】
従って、このような切削インサートでは、正面切刃の一端部側は傾斜部とされていても他端部側は上記長手方向に垂直な垂直部とされているので、他端部側も傾斜部と同じに傾斜していたり、あるいは一端部側と相反する方向に傾斜していたりするのに比べて切刃長を短くして正面切刃全体に作用する切削抵抗を抑えることができる。また、こうして正面切刃の他端部側は垂直部とされて先細りとなることがないため、欠けの発生を防ぐことができるとともに、この長手方向に垂直な垂直部を基準として正面切刃を所望の寸法精度通り正確に形成することができ、さらには突っ切り加工後にこの他端部側の被削材の切断面に残される芯を、当該切削インサートをそのまま用いて上記垂直部によりインサート本体に振れを生じさせたりすることなく除去して仕上げ加工することができる。
【００１０】
そして、さらにこのように正面切刃の他端部側が垂直部とされていることにより、該正面切刃によって生成される切屑は、この垂直部によって生成された部分が上記長手方向に向けて流出することになり、これに引っ張られるようにして上記傾斜部により生成された部分の切屑も、該傾斜部が形成された一端部側の被削材の切断面に向けて流れ出るのが抑えられる。従って、正面切刃によって生成された切屑全体を、被削材の両切断面の間を通してインサート本体の長手方向に排出することができ、この切屑によって切断面が傷つけられるのを防ぐことが可能となる。
【００１１】
さらに、こうして傾斜部によって生成された部分の切屑が垂直部によって生成された部分の切屑に引っ張られるように、正面切刃により生成された切屑を分断させることなく上記長手方向に流出させるために、上記傾斜部は、上記垂直部側が、上記すくい面に対向する方向から見て該垂直部に滑らかに接する凹曲線状に形成される。なお、傾斜部は、その全体がこのような凹曲線状であってもよいが、正面切刃の上記一端部側での欠けをも確実に防ぐには、この一端部側では上記すくい面に対向する方向から見て直線状に延びているのが望ましい。
【００１２】
また、上記傾斜部は、上記すくい面に対向する方向から見て、上記正面切刃の一端部において上記垂直部に対し３°〜５０°の角度で交差する方向に傾斜しているのが望ましく、この範囲よりも上記角度が大きいと正面切刃の傾斜部が先細りとなってその一端部側で欠けが生じ易くなるおそれがある。その一方で、この範囲よりも上記角度が小さいと、正面切刃が垂直部から真っ直ぐ延びる一直線状に近くなり、突っ切り加工の際に被削材に先細りの芯を形成することが困難となるおそれが生じる。
【発明の効果】
【００１３】
以上説明したように、本発明によれば、特に被削材の突っ切り加工を行う勝手付きの切削インサートにおいて、切屑によって被削材の切断面が傷つけられるのを防いで加工精度や品位の向上を図るとともに、正面切刃の端部における欠けを防止してインサート寿命を延長することができ、さらに正面切刃全体に作用する切削抵抗を低減して効率的な加工を促すことができる。また、垂直部を基準として正面切刃を正確に所定の寸法精度に形成することができるとともに、この垂直部により当該切削インサートをそのまま用いて残された芯を除去する仕上げ加工を行うことができるので、かかる突っ切り加工の工程の一層の簡略化を促すことが可能となる。
【発明を実施するための最良の形態】
【００１４】
図１ないし図６は、本発明の第１の実施形態を示すものである。本実施形態においてインサート本体１は、超硬合金等の硬質材料により形成されて軸線Ｌに沿って延びる概略方形軸状（方形柱状）をなし、この軸線Ｌに直交してインサート本体１の長手方向（軸線Ｌ方向。図２〜図５における左右方向）の中央に位置する平面Ｍと、この平面Ｍに直交してインサート本体１の幅方向（図２および図５における上下方向。図６においては左右方向）中央に位置し、軸線Ｌを含んでインサート本体１の厚さ方向（図３、図４、および図６における上下方向）に延びる平面Ｎとの交線Ｏに関して、１８０°回転対称な形状に形成されている。従って、軸線Ｌはこの交線Ｏに直交することになる。
【００１５】
このインサート本体１の長手方向の端部（両端部）には切刃部２が形成されており、この切刃部２には、上記長手方向に延びる一対の横切刃３と、これらの横切刃３の先端同士の間に、上記長手方向に交差して幅方向に延びる正面切刃４とを辺稜部に備えたすくい面５が、上記厚さ方向を向くように形成されている。ここで、このすくい面５は、上記軸線Ｌに直交して厚さ方向にすくい面５に対向する方向から見た平面視において、図２に示すようにこの長手方向に延びる概略長方形状とされている。また、正面切刃４の両端部において横切刃３と交差する一対のコーナ部には、同平面視において概略１／４円弧状をなすコーナ刃６がそれぞれ形成されている。
【００１６】
なお、長手方向両端の切刃部２の間において、上記厚さ方向にすくい面５と同じ側を向くインサート本体１の上面部７は、図３および図４に示すようにこれら切刃部２のすくい面５よりも厚さ方向に一段突出するようにされている。さらに、この上面部７と、該上面部７とは反対のインサート本体１の下面部８とには、その長手方向全長に亙って断面凹Ｖ字状をなす取付溝部７Ａ，８Ａが形成されている。
【００１７】
また、上面部７の上記長手方向を向く両端面７Ｂは、それぞれ切刃部２側に向かうに従い下面部８側に向かって傾斜する傾斜面とされる一方、下面部８の両側部には、長手方向において上面部７の上記両端面７Ｂが切れ上がった位置の内側辺りに、各一対の切欠部８Ｂが形成されている。なお、このインサート本体１の両切刃部２の間の部分は、上記平面Ｍと平面Ｎとに関してそれぞれ対称な形状とされている。
【００１８】
さらに、切刃部２は、そのすくい面５が図１、図３、および図４に示すように、先端側の正面切刃４、コーナ刃６、および横切刃３の先端部を辺稜部に有する部分では、この先端側に向かうに従い下面部８側に向けて上記厚さ方向に漸次後退するネガすくい面部５Ａとされている。一方、このネガすくい面部５Ａから後端側の部分は、この後端側に向かうに従い下面部８側に向けて上記厚さ方向に漸次後退した後に切れ上がるポジすくい面部５Ｂとされ、さらにこのポジすくい面部５Ｂの後端側は厚さ方向に垂直な平坦面部５Ｃとされて、上面部７の上記端面７Ｂに連なっている。
【００１９】
また、このすくい面５には、上記長手方向においてネガすくい面部５Ａの正面切刃４と間隔をあけた位置から平坦面部５Ｃの中程までにかけての範囲で、また上記幅方向においては両横切刃３と互いに等間隔をあけた位置の間の範囲で、凹状のチップブレーカ５Ｄが形成されている。このチップブレーカ５Ｄは、その底面が上記平面Ｎに沿った断面では凹曲線状を呈し、また上記平面Ｍに平行な断面では、幅方向の両側から中央部に向けてそれぞれすくい面５から下面部８側に傾斜した後、この中央部では厚さ方向に垂直に延びる台形溝状をなしている。また、このチップブレーカ５Ｄと正面切刃４との上記間隔はチップブレーカ５Ｄと横切刃３との間隔よりも小さく、正面切刃４とチップブレーカ５Ｄとの間にはすくい面５のネガすくい面部５Ａが極小さな一定幅で残るようにされている。
【００２０】
そして、この正面切刃４は、すくい面５に対向する方向から見て図２に示すように、その一端部（図２における上側の端部）から他端部（図２における下側の端部）側に向かうに従い上記長手方向に漸次後退するように傾斜する傾斜部９と、この他端部から一端部側に向けて上記長手方向に対し垂直に延びる垂直部１０とから構成されている。さらに、本実施形態では上記傾斜部９は、上記平面視において正面切刃４の一端部側の上記コーナ刃６がなす円弧に滑らかに接し、他端部側に向かうに従い直線状に傾斜して長手方向に後退する直線状部９Ａと、同平面視においてこの直線状部９Ａと上記垂直部１０とに滑らかに接する凹曲線状をなす曲線状部９Ｂとにより構成されている。
【００２１】
このうち、傾斜部９は垂直部１０よりもその切刃長が長くされていて、さらにそのうちでも直線状部９Ａは曲線状部９Ｂに対して略同等の長さもしくは僅かに長く形成されている。また、曲線状部９Ｂは上記平面視に凹円弧状をなしており、その半径は例えばコーナ刃６がなす円弧の半径よりも十分大きく、本実施形態では両横切刃３とコーナ刃６との接点間の幅、すなわち切削幅よりも大きくされている。さらに、垂直部１０は同平面視において正面切刃４の他端部側のコーナ刃６がなす円弧に滑らかに接するように形成されており、この垂直部１０の一端部側への延長線に対して、傾斜部９は、その一端部におけるコーナ刃６との接線（本実施形態では直線部９Ａ）が５°の角度θをもって交差する方向に延びている。
【００２２】
また、一対の横切刃３は、正面切刃４の両端部のコーナ刃６にやはり滑らかに接し、各コーナ刃６からそれぞれ切刃部２の後端側に向かうに従い幅方向に後退するように僅かに傾斜して延びていて、上記平面Ｎ側に互いに接近するように等しいバックテーパが与えられている。なお、すくい面５が上述のようにネガすくい面部５Ａ、ポジすくい面部５Ｂ、および平坦面部５Ｃによって構成されて凹凸していることから、この横切刃３も同様に厚さ方向に凹凸するように形成されることになる。
【００２３】
一方、各切刃部２の上記長手方向を向く先端面は正面切刃４の逃げ面１１とされるとともに、幅方向を向く両側面は一対の横切刃３の逃げ面１２とされる。ここで、本実施形態の切削インサートは、これらの逃げ面１１，１２が、上記コーナ刃６に連なる逃げ面９，１０の交差稜線部も含めて、すくい面５から離間して上記厚さ方向に下面部８側に向かうに従い上記長手方向と幅方向とにそれぞれ漸次後退するように傾斜させられたポジ逃げ面とされていて、これら正面切刃４と横切刃３とに逃げ角が付されたポジティブタイプのインサートとされている。
【００２４】
このうち、正面切刃４の逃げ面１１は、該正面切刃４が上述のように傾斜部９と垂直部１０とからなり、さらに傾斜部９の直線状部９Ａと曲線状部９Ｂとから構成されているのに伴い、傾斜部９の直線状部９Ａに連なり正面切刃４の上記一端部から他端部側に向かうに従い上記長手方向に漸次後退するように傾斜した傾斜平面部１１Ａと、曲線状部９Ｂに連なるとともに上記傾斜平面部１１Ａに接してやはり上記他端部側に向かうに従い漸次後退する凹曲面部１１Ｂと、垂直部１０に連なるとともにこの凹曲面部１１Ｂに接して上記平面Ｎに垂直に延びる垂直平面部１１Ｃとから構成されている。なお、本実施形態では、これら傾斜平面部１１Ａ、凹曲面部１１Ｂ、および垂直平面部１１Ｃが直線状部９Ａ、曲線状部９Ｂ、および垂直部１０に対してなす正面切刃４の逃げ角は、その上記一端部から他端部に亙って略一定とされている。
【００２５】
また、切刃部２のこれらの逃げ面１１，１２と上記下面部８との間には、インサート本体１の端面１３と側面１４とが上記厚さ方向に平行に延びるように形成されており、従って端面１３は上記長手方向において正面切刃４よりも内側に、両側面１４は幅方向において一対の横切刃３の内側に、それぞれ位置させられている。このうち、側面１４は、両切刃部２の逃げ面１２と下面部８との間の部分から、これらの切刃部２の間のインサート本体１の側面に亙って、全体的に面一で上記平面Ｎに平行な平面状とされている。
【００２６】
一方、上記端面１３は、本実施形態では、上記正面切刃４の一端部側が上記軸線Ｌに垂直すなわち上記長手方向に垂直な平坦面部１３Ａとされるとともに、該正面切刃４の他端部側には上記平坦面部１３Ａに対して長手方向に後退した逃げ部１３Ｂとされている。この逃げ部１３Ｂは、平坦面部１３Ａに鈍角に交差して正面切刃４の他端部側に向かうに従い漸次後退する傾斜面とされており、特に本実施形態では傾斜平面状とされていて、インサート本体１の下面部８に対向する底面視において図５に示すように、平坦面部１３Ａに対して角度βで傾斜するように形成されている。
【００２７】
なお、この端面１３と上記側面１４との交差稜線部は、上記コーナ刃６に連なる逃げ面９，１０の交差稜線部に連なり、上記平坦面部１３Ａおよび逃げ部１３Ｂとそれぞれの側の側面１４とに滑らかに接する円筒面状とされている。さらに、これらの円筒面と端面１３との両接線の間においては、上記長手方向に沿って該端面１３に対向する方向から見て図６に示すように、上記平坦面部１３Ａの面積が上記逃げ部１３Ｂの投影面積よりも大きくされており、より具体的にはこれら平坦面部１３Ａと逃げ部１３Ｂとの交差稜線Ｐが上記平面Ｎよりも正面切刃４の他端部側に位置して、平坦面部１３Ａが平面Ｎよりも他端部側まで延びるように形成されている。なお、この交差稜線Ｐは、本実施形態では平面Ｎに平行に延びて、逃げ面１１のうち上記凹曲面部１１Ｂに交差するようにされている。
【００２８】
さらに、本実施形態では、この端面１３のうち、こうして上記長手方向に垂直とされた正面切刃４の一端部側の平坦面部１３Ａと、ポジ逃げ面とされた上記逃げ面１１との間に、図３に示すように該ポジ逃げ面の延長面Ｑに対して上記長手方向にさらに後退するように凹んだオーバーハング部１５が形成されている。このオーバーハング部１５は、本実施形態では逃げ面１１のうちでも正面切刃４の一端部側の上記傾斜平面部１１Ａと平坦面部１３Ａとが交差する部分を、ポジ逃げ面とされたこの傾斜平面部１１Ａに鈍角に交差して正面切刃４側から離間するに従い上記延長面Ｑに対して角度αで漸次後退する傾斜面によって切り欠くようにして形成されている。
【００２９】
従って、このオーバーハング部１５と平坦面部１３Ａとの交差稜線Ｒは、上記延長面Ｑと平坦面部１３Ａとの仮想交差稜線よりも正面切刃４側に位置することになり、本実施形態では図６に示すように上記平面Ｎに垂直に延びるようにされている。また、オーバーハング部１５と平坦面部１３Ａとの交差角はこの交差稜線Ｒに沿って略一定とされており、従ってこのオーバーハング部１５の上記厚さ方向の長さおよび平坦面部１３Ａからの長手方向への突出量は正面切刃４の一端部側に向けて漸次大きくなる。なお、このオーバーハング部１５は、正面切刃４の一端部側のコーナ刃６に連なる傾斜平面部１１Ａと逃げ面１２との交差稜線部も切り欠くようにして該逃げ面１２に連なるようにされている。
【００３０】
その一方で、このオーバーハング部１５が形成された側とは反対の正面切刃４の上記他端部側では、ポジ逃げ面とされた傾斜平面部１１Ａ、凹曲面部１１Ｂ、および垂直平面部１１Ｃが、そのまま端面１３の平坦面部１３Ａおよび逃げ部１３Ｂに直接交差させられている。このため、本実施形態では、オーバーハング部１５よりも正面切刃４の他端部側における逃げ面１１と端面１３との交差稜線Ｓは、図６に示すように上記交差稜線Ｒとの交点からこの他端部側に向かうに従い正面切刃４側に向けて延び、上記交差稜線Ｐとの交点で最も正面切刃４に近づいた後、正面切刃４から離間する方向に延びることになる。
【００３１】
なお、本実施形態ではインサート本体１が上述のように交線Ｏに対して１８０°回転対称に形成されていることから、その長手方向の両端部にこのような逃げ面１１，１２が形成された切刃部２と、平坦面部１３Ａおよび逃げ部１３Ｂが形成された端面１３と、オーバーハング部１５とがそれぞれ設けられている。
【００３２】
このように構成された本実施形態の切削インサートは、インサート本体１の上記上下面部７，８に形成された取付溝部７Ａ，８Ａが、インサート着脱式旋削工具のホルダに形成されたインサート取付座の互いに対向して断面凸Ｖ字状をなす一対の顎部に当接して挟み込まれることにより、一方の切刃部２を突き出した状態でこのホルダに保持される。また、このとき他方の切刃部２の逃げ面１１に連なる端面１３においては、その平坦面部１３Ａが、上記インサート取付座の一対の顎部の間に軸線Ｌに垂直となるように形成された当接面に当接させられ、これによりインサート本体１がその長手方向においてこの他方の切刃部２側に支持されて位置決めされる。
【００３３】
こうしてホルダに保持された当該切削インサートは、ホルダごと上記軸線Ｌに沿って長手方向に上記一方の切刃部２の先端側に送り出され、この一方の切刃部２の正面切刃４により被削材の溝入れ加工や突っ切り加工に使用されるが、特にこのうち被削材を切断する突っ切り加工の際には、正面切刃４の一端部側が他端部側に向けて長手方向に後退する傾斜部９とされているので、被削材が切断される直前にはこの一端部側に向かうに従い先細りとなる芯が被削材の回転軸線を中心として形成されることになり、この芯の先が削り落とされたところで、被削材が切断される。従って、この時点で正面切刃４の他端部側の他方の切断面には芯が残される反面、切断の途中で芯が折れて一端部側の一方の切断面に残るようなことがないため、突っ切り加工と同時にこの一方の切断面を平滑に仕上げることができる。
【００３４】
さらに、上記構成の切削インサートによれば、こうして被削材が切断された後に他方の切断面に残った芯を除去する場合でも、正面切刃４の他端部側がインサート本体１の上記長手方向に垂直な垂直部１０とされているので、当該切削インサートをそのまま使用してこの垂直部１０によって芯を削り取るとともに他方の切断面を仕上げ加工することができる。すなわち、この芯を削り取る垂直部１０は送り方向に垂直であるため、切削時に作用する抵抗によってインサート本体１に幅方向の振れが生じることがなく、従って一方の切断面を形成した切削インサートをそのまま長手方向に沿って先端側に送り出すだけで、芯を切削するとともに他方の切断面をも平滑に仕上げることができ、これにより仕上げ加工の簡略化を図ることが可能となる。
【００３５】
また、このような突っ切り加工や、被削材を突っ切るまでには至らずに被削材外周に環状溝を形成する溝入れ加工においても、上記構成の切削インサートでは、こうして正面切刃４の他端部側がインサート本体１の上記長手方向に垂直な垂直部１０とされているので、正面切刃全体が傾斜した特許文献１〜３に記載の切削インサートや、一端部側と他端部側とで相反する方向に傾斜した凹Ｖ字状とされた特許文献４、５に記載の切削インサートに比べて、正面切刃４の切刃長を短く抑えることができる。従って、加工時に正面切刃４全体にに作用する切削抵抗の低減を図ることができて、効率的な突っ切り加工や溝入れ加工を行うことができる。
【００３６】
さらに、こうして切削抵抗が低減することと、正面切刃４の他端部側が垂直部１０とされて横切刃３とのコーナ角が確保されるため、特にこの他端部側も先細り形状となる特許文献４、５に記載の切削インサートと比べては、この他端部における正面切刃４の欠け等も防ぐことができて、インサート寿命の延長を図ることが可能となる。また、このようにインサート本体１の長手方向に垂直な部分が切刃部２に形成されることにより、当該切刃部２を形成するときには、この垂直部１０を基準として各部の寸法精度や形状精度を正確かつ容易に確保することができ、またこれらの寸法・形状精度の管理も該垂直部１０を基準として行うことができる。
【００３７】
そして、さらにこうして正面切刃４の他端部側が垂直部１０とされていることにより、上記切削インサートでは、突っ切り加工中にこの垂直部１０により生成される切屑はインサート本体１の長手方向に沿って流出し、これに伴なわれて引っ張られるように上記傾斜部９により生成される切屑も、同じく長手方向に沿って被削材の切断面の間を通るように流れ出ることになる。従って、この切屑が被削材のいずれか一方あるいは双方の切断面に衝突して該切断面を傷つけるようなことがなく、より平滑で仕上げ面精度や品位の高い切断面を得ることができる。
【００３８】
特に、本実施形態では、この傾斜部９の垂直部１０側に、傾斜部９の直線状部９Ａと該垂直部１０とに滑らかに接する凹曲線状をなす曲線状部９Ｂが形成されており、これにより切屑は正面切刃４の全長に亙って幅方向に分断されることなく一体に生成されることになる。このため、傾斜部９による切屑を確実にインサート本体１の長手方向に案内して流出させることができて、切屑が切断面に干渉して傷をつけるのをより効果的に防止することが可能となる。
【００３９】
その一方で、本実施形態の切削インサートでは、正面切刃４の一端部側は直線状に傾斜した直線状部９Ａとされているので、例えば本実施形態における垂直部１０に連なる凹円弧状の曲線状部９Ｂをそのままの半径で正面切刃４の一端部側に延長するのに比べて、この一端部における正面切刃４と横切刃３との交差角を大きく確保することができる。従って、本実施形態によれば、この一端部側でも欠けが生じたりするのを防ぐことができるので、上述のように他端部側の垂直部１０で欠けを防止できるのと相俟って一層のインサート寿命の延長を図ることができる。
【００４０】
なお、本実施形態では軸線Ｌに垂直にすくい面５に対向する方向、すなわち交線Ｏ方向からの平面視において、正面切刃４の傾斜部９のうち一端部側のこの直線状部９Ａが上記垂直部１０に対してなす角度θが５°とされているが、この角度θが大きすぎると、このように傾斜部９の一端部側を直線状部９Ａとしても欠けの発生を十分に防ぐことができなくなるおそれが生じる。また、これとは逆に角度θが小さすぎると正面切刃４が一直線状に近くなって突っ切り加工の際に途中で芯が折れやすくなってしまうので、この角度θは３°〜５０°の範囲に設定されるのが望ましい。なお、例えば上記角度θがこのような範囲内に設定されるのであれば、傾斜部９はその全体が垂直部１０に滑らかに接する凹曲線状の曲線状部９Ｂであってもよい。
【００４１】
ところで、こうして正面切刃が一端部から他端部に向かうに従い長手方向に後退するように傾斜した部分を有する勝手付きの切削インサートでは、軸状のインサート本体の両端部にそのような正面切刃を備えた切刃部を形成して２回の切刃の使い回しを可能とする場合、例えば特許文献１〜３にも記載されているように、インサート本体の両端部にこのような切刃部とともに長手方向に垂直な平坦面を形成し、インサート本体の一方の端部の切刃部を使用するときには、他方の端部の平坦面をインサート取付座の当接面に当接させることにより、インサート本体を長手方向に支持して位置決めするようにしている。
【００４２】
しかしながら、そのような切削インサートでは、特許文献１〜３に記載のように正面切刃がその全長に亙って傾斜していると、正面切刃の逃げ角が一定のままでは、両切刃部でインサート本体の長手方向に突出することになる正面切刃の一端部側で、逃げ面が平坦面に大きく覆い被さることになり、この平坦面に十分な面積を確保することができなくなってインサート取付座へのインサート本体の着座安定性が損なわれるおそれがある。その一方で、長手方向に後退した正面切刃の他端部側では平坦面からの正面切刃の突き出し量が小さくなるために逃げ面の幅も小さくなり、被削材との間の逃げ量が不足しがちとなって干渉を招くおそれがある。
【００４３】
しかるに、この点、特許文献１記載の切削インサートでは逃げ面と平坦面との間に中間面を形成することにより、また特許文献２、３記載の切削インサートでは逃げ面を捩れ面状として正面切刃の他端側に向けて逃げ角を小さくすることにより、平坦面の面積を確保するようにしているが、前者の場合には中間面によって正面切刃の直下の部分が該正面切刃の全長に亙って切り欠かれてオーバーハング状となるため、切刃強度が低下して損傷が生じ易くなる。また、後者の場合には、逃げ角が小さくなる正面切刃の他端部側でさらに逃げ量が不十分となり、逃げ面や平坦面の摩耗が促進されたり切削抵抗の増大を生じるおそれがある。
【００４４】
これに対して、正面切刃４の他端部側に垂直部１０を形成した上記構成の切削インサートでは、正面切刃４の傾斜部９の一端部側における上記角度θがこれら特許文献１〜３の切削インサートの正面切刃の傾斜角と同じであったとしても、他端部側の垂直部１０から切刃部２の先端側に突き出した正面切刃４の一端部までの長手方向の突き出し量を、特許文献１〜３の切削インサートの正面切刃の突き出し量よりは小さくすることができるので、逃げ角を上記実施形態のように正面切刃４の全長で略一定としても、特に一端部側において逃げ面１１が端面１３側に大きく覆い被さるのを防ぐことができ、長手方向に垂直な平坦面部１３Ａの面積を確保することができる。
【００４５】
その一方で、正面切刃４の他端部側は垂直部１０とされていて、切刃が後退し続けたまま延びてはいないので、長手方向に垂直とされた平坦面部１３Ａから正面切刃４の一端部までの突き出し量が同じであっても、他端部側における正面切刃４の突き出し量を大きくして逃げ量を確保し、被削材との干渉を避けることができる。
【００４６】
そして、さらに上記実施形態の切削インサートでは、まず第１に、この端面１３における正面切刃４の一端部側がこうして長手方向に垂直な平坦面部１３Ａとされる一方で、正面切刃４の他端部側における端面１３には、この平坦面部１３Ａに対して長手方向に後退した逃げ部１３Ｂが形成されているので、上述のように被削材との間の逃げ量が不足しがちなこの端面１３における正面切刃４の他端部側にさらに十分なクリアランスを確保することができて、被削材との干渉を一層確実に防ぐことが可能となる。
【００４７】
さらに、この逃げ部１３Ｂに対して平坦面部１３Ａは、長手方向に沿って端面１３に対向する方向から見た面積が逃げ部１３Ｂの投影面積よりも大きくされているので、こうして逃げ部１３Ｂを形成してもインサート本体１の着座安定性が損なわれることはない。しかも、本実施形態では、逃げ部１３Ｂが平坦面部１３Ａに鈍角に交差して正面切刃４の他端部側に向かうに従い漸次後退する傾斜面とされているので、例えば平坦面部１３Ａから一段後退するように段差状の逃げ部を形成したりするのに比べ、必要以上に大きくインサート本体１が切り欠かれることがなく、切刃強度の低下も防ぐことができる。
【００４８】
なお、こうして傾斜面とされた逃げ部１３Ｂが平坦面部１３Ａに対してなす上記角度βは、これが小さすぎると逃げ部１３Ｂを設けることによるクリアランスの確保が不十分となる一方、逆に大きすぎると正面切刃４の他端部側が上述のようなオーバーハング状となって切刃強度が損なわれるおそれがある。このため、この逃げ部１３Ｂが平坦面部１３Ａに対してなす角度βは２°〜２０°の範囲に設定されるのが望ましい。
【００４９】
また、第２に、本実施形態の切削インサートでは、正面切刃４の一端部側には、この正面切刃４の一端部側における逃げ面１１であるポジ逃げ面とされた傾斜平面部１１Ａと上記平坦面部１３Ａとの間に、このポジ逃げ面の延長面Ｑに対して上記長手方向にさらに後退するオーバーハング部１５が形成される一方で、正面切刃４の他端部側では、このようなオーバーハング部１５が形成されることがなく、傾斜平面部１１Ａの一部と、同じくポジ逃げ面となる逃げ面１１の凹曲面部１１Ｂおよび垂直平面部１１Ｃとが、端面１３に直接に交差させられている。
【００５０】
すなわち、このオーバーハング部１５は、逃げ面１１が端面１３の平坦面部１３Ａに大きく覆い被さることになる正面切刃４の一端部側のみに形成されているので、インサート取付座の当接面に当接する平坦面部１３Ａはより大きく確保することができる一方で、例えば特許文献１に記載の切削インサートなどに比べて、逃げ面１１が切り欠かれたオーバーハング状となる部分が少なく、従って切刃強度の低下をさらに確実に防いで損傷等の発生を防止することができる。また、このオーバーハング部１５は、逃げ面１１のポジ逃げ面とされた傾斜平面部１１Ａに鈍角に交差して正面切刃４側から離間するに従い上記延長面Ｑに対して漸次後退する傾斜面によって形成されているので、オーバーハング状となった一端部側でも正面切刃４の切刃強度を確保することが可能となる。
【００５１】
なお、このように傾斜面によって形成されたオーバーハング部１５についても、上記延長面Ｑに対する角度αが小さすぎると平坦面部１３Ａの面積を十分に確保することができなくなる一方、逆に大きすぎると正面切刃４の一端部側での切刃強度が損なわれるおそれが生じる。このため、このオーバーハング部１５がなす傾斜面が上記延長面Ｑに対してなす角度αは２°〜４５°の範囲に設定されるのが望ましい。
【００５２】
ただし、本実施形態ではこのように正面切刃４の逃げ角が一定とされるとともに、これにより逃げ面１１が端面１３の平坦面部１３Ａに大きく覆い被さることになる一端部側にはオーバーハング部１５を形成して、インサート取付座の当接面との当接面積を確保するようにしているが、例えば図７ないし図１２に示す本発明の第２の実施形態のように、正面切刃４の逃げ角を一端部側から他端部側に向かうに従い漸次小さくなるように変化させて、上述のようなオーバーハング部１５を形成せずに、逃げ面１１が正面切刃４の全長に亙ってそのままインサート本体１の端面１３に直接交差するようにしてもよい。なお、この第２の実施形態において、第１の実施形態と共通する部分には同一の符号を配して説明を省略する。
【００５３】
すなわち、この第２の実施形態の切削インサートでは、逃げ面１１が、正面切刃４の傾斜部９における直線状部９Ａに連なる傾斜平面部１１Ａから、曲線状部９Ｂに連なる凹曲面部１１Ｂを経て、垂直部１０に連なる垂直平面部１１Ｃに至るまで、正面切刃４の一端部から他端部に向けて上記平面Ｎに平行な断面における逃げ角が漸次小さくなるような捩れ面状に形成されている。そして、この逃げ面１１は、上記長手方向から見て図１２に示すように厚さ方向の長さが略一定とされていて、インサート本体１の端面１３に、平面Ｎに垂直な略一直線状の交差稜線Ｔを介して直接交差するようにされている。
【００５４】
従って、このような第２の実施形態の切削インサートでも、正面切刃４が一端部側の傾斜部９と他端部側の垂直部１０とから構成されているので、第１の実施形態と同様の効果を得ることができる。そして、この第２の実施形態によれば、上述のように正面切刃４の一端部から他端部に亙ってその逃げ面１１がインサート本体１の端面１３に直接的に交差していて、オーバーハング状となる部分がないので、正面切刃４の切刃強度をより確実に確保して損傷等を防止することが可能となる。また、逃げ角が小さくなる正面切刃４の他端部側には、本実施形態でも端面１３に逃げ部１３Ｂが形成されているので、被削材との干渉を防止することができる。
【００５５】
なお、これら第１、第２の実施形態では、このように軸状に延びるインサート本体１の両端部に正面切刃４を備えた切刃部２や平坦面部１３Ａを備えた端面１３が形成されて、一方の端部の正面切刃４により突っ切り加工を行うときに他方の端部の平坦面部１３Ａがインサート取付座の当接面に当接する構成とされているが、正面切刃４が一端部側に傾斜部９を、他端部側に垂直部１０を備えていれば、例えばインサート本体１の長手方向の一端部だけに切刃部２が形成されていて、他端部には当接部のみが形成されたものであってもよい。また、上記の説明では、本発明に係る切削インサートを突っ切り加工に使用する場合について説明したが、被削材の溝入れ加工に使用することも可能である。
【図面の簡単な説明】
【００５６】
【図１】本発明の第１の実施形態を示す斜視図である。
【図２】図１に示す実施形態をインサート本体１の長手方向に垂直にすくい面５に対向する方向から見た部分平面図である。
【図３】図１に示す実施形態をインサート本体１の長手方向に垂直に正面切刃４の他端部側から側面１４に対向する方向に見た部分側面図である。
【図４】図１に示す実施形態をインサート本体１の長手方向に垂直に正面切刃４の一端部側から側面１４に対向する方向に見た部分側面図である。
【図５】図１に示す実施形態をインサート本体１の長手方向に垂直に下面部８に対向する方向に見た部分底面図である。
【図６】図１に示す実施形態をインサート本体１の長手方向に沿って端面１３に対向する方向に見た正面図である。
【図７】本発明の第２の実施形態を示す斜視図である。
【図８】図７に示す実施形態をインサート本体１の長手方向に垂直にすくい面５に対向する方向から見た部分平面図である。
【図９】図７に示す実施形態をインサート本体１の長手方向に垂直に正面切刃４の他端部側から側面１４に対向する方向に見た部分側面図である。
【図１０】図７に示す実施形態をインサート本体１の長手方向に垂直に正面切刃４の一端部側から側面１４に対向する方向に見た部分側面図である。
【図１１】図７に示す実施形態をインサート本体１の長手方向に垂直に下面部８に対向する方向に見た部分底面図である。
【図１２】図７に示す実施形態をインサート本体１の長手方向に沿って端面１３に対向する方向に見た正面図である。
【符号の説明】
【００５７】
１  インサート本体
２  切刃部
３  横切刃
４  正面切刃
５  すくい面
６  コーナ刃
９  正面切刃４の傾斜部
９Ａ  傾斜部９の直線状部
９Ｂ  傾斜部９の曲線状部
１０  垂直部
１１，１２  逃げ面
１１Ａ  逃げ面１１の傾斜平面部
１１Ｂ  逃げ面１１の凹曲面部
１１Ｃ  逃げ面１１の垂直平面部
１３  インサート本体１の端面
１３Ａ  端面１３の平坦面部
１３Ｂ  端面１３の逃げ部
１５  オーバーハング部
Ｌ  インサート本体１の軸線
θ  軸線Ｌに垂直にすくい面５に対向する方向から見て、正面切刃４の一端部における傾斜部９（直線状部９Ａ）が垂直部１０に対してなす角度
【図１】
0005056215.tif 000002
【図２】
0005056215.tif 000003
【図３】
0005056215.tif 000004
【図４】
0005056215.tif 000005
【図５】
0005056215.tif 000006
【図６】
0005056215.tif 000007
【図７】
0005056215.tif 000008
【図８】
0005056215.tif 000009
【図９】
0005056215.tif 000010
【図１０】
0005056215.tif 000011
【図１１】
0005056215.tif 000012
【図１２】
0005056215.tif 000013